(57)【要約】【課題】食材の破砕や攪拌を行なう調理器具であって、食材が滞留せずに均一な処理が可能であってユーザの利便性と操作性をも向上させた新たな調理器具を提供する。【解決手段】収容器内に収容された食品材料を回転部材の回転で破砕および攪拌または破砕と攪拌の少なくともいずれかの処理を行なう調理器具であって、回転部材を回動させるモータの回転の駆動制御部は、モータの回転速度の設定をユーザのアクセス操作で可能とする第１のモードと、モータの回転速度が一定の周期または変則的な周期で上下に変動するスイング運転を可能とする第２のモードとを有し、第１のモードと第２のモードとの間の少なくとも一方向間で回転制御を切り替えられるようにしたユーザアクセス手段が設けられている。【選択図】図１２
2015173802.tif 000002
【特許請求の範囲】
【請求項１】
収容器内に収容された食品材料を回転部材の回転で破砕および攪拌または破砕と攪拌の少なくともいずれかの処理を行なう調理器具であって、
前記収容器内の材料を処理するための前記回転部材を回動させるためのモータと、
前記モータの回転の駆動制御部とからなり、
前記駆動制御部は、
前記モータの回転速度の設定をユーザのアクセス操作で可能とする第１のモードと、
モータの回転速度が一定の周期または変則的な周期で上下に変動するスイング運転を可能とする第２のモードとを有し、
さらに、前記第１のモードと前記第２のモードとの間の少なくとも一方向間で回転制御を切り替えられるようにしたユーザアクセス手段からなる調理器具。
【請求項２】
前記ユーザアクセス手段は、
前記第１のモードと前記第２のモードとの間の前記回転制御をユーザの操作で切り替え可能なスイッチ操作部と、
前記第２のモードの運転中に前記収容器内の食材の挙動に応じてユーザがスイング運転の回転速度の上限または下限の少なくとも一方をリアルタイムに設定可能とする回転速度操作部と、からなる請求項１に記載の調理器具。
【請求項３】
前記ユーザアクセス手段は、運転中の第１のモードから第２のモードの運転へと継続して回転制御を切り替えられるように構成された、請求項１又は２に記載の調理器具。
【請求項４】
前記ユーザアクセス手段は、運転中の第２のモードから第１のモードの運転へと継続して回転制御を切り替えられるように構成された、請求項１乃至３のいずれかに記載の調理器具。
【請求項５】
前記回転速度操作部は、前記スイッチ操作部による前記第１のモードから前記第２のモードへの切り替えと共にユーザが前記モータの回転数の設定のアクセスが可能となるように、前記スイッチ操作部の近傍に設けられている、請求項２乃至４のいずれかに記載の調理器具。
【請求項６】
前記回転速度操作部は、前記第１のモードと前記第２のモードで兼用されるように構成されている、請求項２乃至５のいずれかに記載の調理器具。
【請求項７】
前記回転速度操作部は前記第２のモードのスイング運動の回転速度の上限を前記収容器内の食材の挙動に応じてユーザがリアルタイムに設定可能とする、請求項２乃至６のいずれかに記載の調理器具。
【請求項８】
前記回転速度操作部は時計回転および反時計回転に調整可能なボタン、パッド、またはダイアルである、請求項２乃至６のいずれかに記載の調理器具。
【請求項９】
前記第２のモードのモータの回転速度の上下の変動を、モータ運転のオンとオフで行なう、請求項１乃至８のいずれかに記載の調理器具。
【請求項１０】
前記第１のモードと前記第２のモードとの間の切り替えを行なう前記ユーザアクセス手段は、スライドスイッチまたはトグルスイッチから構成されている、請求項１乃至９のいずれかに記載の調理器具。
【請求項１１】
収容器内に収容された食品材料を回転部材の回転で破砕および攪拌または破砕と攪拌の少なくともいずれかの処理を行なう調理器具であって、
前記収容器内の材料を処理するための前記回転部材を回動させるためのモータと、
調理器具の上部に設けられ、前記モータの駆動をユーザの一方の手によりオンオフ制御するスイッチ手段と、
前記スイッチ手段から離間して設けられ、前記モータの回転速度の設定を行う回転速度設定手段と、モータの回転速度が継続的な運転または、一定の周期若しくは変則的な周期で上下に変動するスイング運転を可能とするモード切り替え手段とからなる、ユーザアクセス手段とを備え、前記ユーザアクセス手段がユーザのもう一方の手によりほぼ同時にアクセス可能としたことを特徴とする、調理器具。
【発明の詳細な説明】
【技術分野】
【０００１】
本願発明は、食材をその種類に応じて多様な破砕状態や混合状態に処理可能とするミキサーやフードプロセッサに代表される調理器具に関するものである。本願発明は更に、多様な破砕処理や混合処理に加えて、調味料等を付加して下ごしらえをも可能とする調理器具に関するものである。
【背景技術】
【０００２】
従来から、家庭用として多種多様なフードプロセッサやミキサーが広く知られるようになっている。この種のフードプロセッサには、回転刃で果物を細かく裁断、液体状にしてジュースとして提供するものや、煎ったコーヒー豆を粉砕する、いわゆるコーヒーミルと呼ばれるものがある。
【０００３】
また、ジュースを作るほかに、スライスや細切りもできるといった、多機能を謳ったフードプロセッサも知られている。
さらに、食材の種類や投入量に応じて回転刃の回転速度を異ならせる各種フードプロセッサも知られているが、従来の多くは、一度設定すればその設定に応じた回転速度が決まり、回転刃の回転をその決まった一定の速度で食材を破砕することを基本としているものである。
【０００４】
食材を破砕していくと回転刃にかかる負荷が低下して、抵抗トルクが変動する。この点に着目して、モータ速度を自動的に安定させる制御装置を特許文献１は開示している。また、特許文献２では、食材の破砕の程度を監視する手段を容器内に設けて、食材が十分な破砕レベルまで攪拌すると、自動的に回転を停止するフードプロセッサやミキサーを開示している。
【０００５】
特許文献３は、特許文献２の技術をより改良して、いったん停止しても再度食材を追加投入すると、その停止した状態から自動的に回転させる手段を設けることで、食材を不連続に追加していくごとにその停止と始動が自動的に行なえるようにした技術を開示している。
【０００６】
例えば、特許文献３の図３および段落００４８、００４９には、投入する食材をチーズに例をとってその動作を説明している。具体的には、１片のチーズ（ｔ１）のような食品を投入すると、モータに加わる抵抗トルク（Ｃ２）が増大し、監視／制御装置（５）は、第１の動作モードに従った値にスイッチングさせて、チーズ片を切削する機械力をもたらす。そして、チーズ片が完全にすり下ろされると、モータに加わる抵抗トルク（Ｃ３）は低減するため、監視／制御装置（５）は、指定速度を待機モード、すなわち第２の動作モードにスイッチングさせる。そして、新たなチーズ片が機器に投入されると、上記動作が繰り返されるようにしている。これによって、ユーザが食材を投入するごとに攪拌が行なえ、ユーザの利便性の向上と、過剰な電気消費や、不相応な音響ノイズの発生を抑えるようにしている。
【０００７】
特許文献４や特許文献５には、複数の回転サイクルで動作可能に設定され、その決まった設定に応じて時間経過とともに回転速度を変化させるフードプロセッサを開示している。例えば、特許文献４の図３には、刃の回転速度を時間と共に変化させた複数の回転サイクルを開示している。特許文献５の図５にも、ある一定の周期で上限となる回転速度を次第に上げる複数の回転サイクルを開示している。
【先行技術文献】
【特許文献】
【０００８】
【特許文献１】米国特許第４６９１８７０号明細書
【特許文献２】特開平１１−２２５８９１号公報
【特許文献３】特表２００７−５１７５６３号公報
【特許文献４】特表２０１０−５３７７号公報
【特許文献５】特開昭５５−１３８４２６号公報
【発明の概要】
【発明が解決しようとする課題】
【０００９】
一つの材料であっても、出来上がる料理によって多様な破砕処理、例えば、きざみや、すりおろし、こね、すりつぶしといった処理が必要であり、物を細かくする点において共通はするものの、加工する食材の重さや、硬さ等はさまざまであり、従来の単に一つの速度の設定で破砕処理の時間を異ならせるだけでは十分ではない。
【００１０】
また、料理には、その料理の種類に応じた破砕のレベルが必要であり、また、例えば、必要な水分や粘性を与えることや、必要な調味を施す下準備（下ごしらえ）が必要でもあり、フードプロセッサの処理過程で、そのような下ごしらえができて、目的とした料理に適合した材料の加工特性を得ることができれば、非常に効率的で、品質の良い料理も可能となる。
【００１１】
しかし、十分な破砕に至る過程で、破砕された食材の大きさや重さによっては容器内に食材が偏在したりして、均一できれいな破砕がされない場合がる。
そのような問題に着目して、特許文献４や特許文献５には、回転をオン（ＯＮ）／オフ（ＯＦＦ）させて回転する期間と回転しない期間を設けて、全体の混ざり具合や粉砕の程度を均一化するようにしたものである。
【００１２】
しかし、特許文献４は、図３を参照する段落００１１や００１２の記載から明らかなように、一度設定するとその設定で決まったシーケンスに応じて、回転速度と時間が変化するようにしたものである。
また、特許文献５も、特許文献４と同様に、一度設定したシーケンスで回転数とその継続時間が定まり、そのシーケンスが予めプログラムされて、そのプログラムのシーケンスに従って回転数が変化するにすぎない。
【００１３】
本願発明者は、さまざまな食材の粉砕を観察、実験した結果、特許文献４や５のような一定のプログラムに応じて回転オン−オフする技術は、一定の速度で回転させて攪拌、粉砕するよりも、その食材の程度がより均一にでき、一定の効果を奏する場合もあることは確認できたが、定められたあるパターンだけでは、食材の種類や、硬さや大きさ、重さなどの食材の粉砕状況に見合った粉砕が必ずしも適切に行なわれず、得られた加工食品には、どうしても食材にむらが生じてしまうことも分かった。また、そのむらを無くそうとするあまりに過度に粉砕してしまうことで、野菜等の食材から水が多く出てしまい、容器の底に沈殿してしまうばかりか、その沈殿によって加工により支障を生じてしまうこともわかった。
【００１４】
また、特許文献４や特許文献５では、そのパターン、すなわち、回転サイクルやそのオン時の回転数を変えて装置に記憶させることで、多様なサイクルパターンでの粉砕や攪拌を可能としているが、ひとたびそのサイクルパターンを採用して運転を開始すれば、そのパターンで運転し続けるか、あるいは、途中で運転を止めて別のパターンを呼び出して再度設定し運転を再開するしかない。
【００１５】
さらに、従来のマルチミキサー機能を有する調理器具を使用して、ナイフカッターを使った滓入りジュースを作る場合には、氷をうまく粉砕することが難しく、特許文献４や５の技術でもってしても同様に難しかった。
【００１６】
また、ジュース等の水分が比較的多い食材を攪拌や粉砕する際には、突然に液状の滓などの成分が飛び散る量が多くなって蓋などに大量に付着するために、加工後の取り出しやその後の洗い作業もが大変となっていた。
【００１７】
本願発明は、容器に入った食材の種類、硬さや大きさ、重さなどがまちまちであっても、食材の攪拌や粉砕の進行程度に応じて瞬時に対応でき、より適切に食材を均一に粉砕、攪拌でき、しかも食材が突然飛び散るような状況でも瞬時に対処しながら、粉砕や攪拌が行なえる新たな手段、方法を提供するものである。
【課題を解決するための手段】
【００１８】
上記目的を達成するために、本願発明の調理器具は、収容器内に収容された食品材料を回転部材の回転で破砕および攪拌または破砕と攪拌の少なくともいずれかの処理を行なう調理器具であって、収容器内の材料を処理するための回転部材を回動させるためのモータと、そのモータの回転の駆動制御部とからなり、駆動制御部は、モータの回転速度の設定をユーザのアクセス操作で可能とする第１のモードと、モータの回転速度が一定の周期または変則的な周期で上下に変動するスイング運転を可能とする第２のモードとを有し、さらに、第１のモードと第２のモードとの間の少なくとも一方向間で回転制御を切り替えられるようにしたユーザアクセス手段からなる調理器具を開示する。
【００１９】
本願発明者は、種々の実験を重ねた結果、食材によっては、必ずしも最初から回転速度を時間とともに上下に変化させる、いわゆるスイング運転を行なう必要もなく、一定の回転速度で回転させたほうが、加工処理に費やす時間もかからないことが分かった。しかも、破砕や攪拌が進むにつれて均等に破砕が進まない傾向になったことを目で認識したら、モードを第２のモードに切り替えてスイング運転を行うことができれば、第２のモードが持っている効果を最も効率的に利用できるため、破砕や攪拌を均一にすることが可能となるばかりか、一段と向上した操作性によって、従来以上の品質の加工食材を提供できる。また、第２のモードであるスイング運転のモードで運転をしていたところ、食材の量が多かったり硬かったりした場合には、予想を超えて粉砕や攪拌が進まない場合があるが、本願発明により、途中で第１のモードの継続運転モードに切り替えることができれば、その処理を早く進ませることができる。また、処理途中で品質よりも早さを優先したい場合にも、適宜ユーザの意思で変更することができる。
また、各種の種々の実験を繰り返した結果、例えば、粘着性のある具材、例えばハンバーグ具材を使用して調理する時には、最初は、その具材が容器側部へ偏移してこびりつきやすいことが明らかとなった。そのため、本願発明では、まずは第１モードのスイング運転をし、その後具材に流動性が出てきて攪拌が順調になり偏移が少なくなってきたときには、第２モードの連続運転に切り替えることで、効率的できめ細かな処理も可能となる。
【００２０】
本願発明の調理器具をミキサーに適用した場合であっても、急な泡立ちなどによる飛散が発生する前に切り替えることができるために、汚れが抑えられ、その後の処理やメンテナンスが容易となる。
さらにまた、スイング運転だけで処理したい場合にも係わらず、ユーザが誤って継続運転に設定して運転を開始してしまっても、スイング運転へと変更が可能となるために、ユーザの利便性が非常に向上し、食材を無駄にすることも無い。
【００２１】
さらに、本願発明の調理器具の上記ユーザアクセス手段には、第１のモードと第２のモードとの間をユーザの操作で切り替え可能なスイッチ操作部と、第２のモードの運転中に収容器内の食材の挙動に応じてユーザがスイング運転の回転速度の上限または下限の少なくとも一方をリアルタイムに設定可能とする回転速度操作部とを有している。
多くの使用するユーザの不満としては、食材の内容や、量、重さ、さらにはその食材加工の程度に応じて、粉砕や攪拌の状況は非常に異なるし、また時間と共に刻々微妙に変化し、あるいは瞬間に変化するものであるが、従来の製品では全く対応できないという不満がユーザから多く出されている。
本願発明によれば、刻々と変化する処理状態に対して微妙に調整し、その瞬間瞬間で対応した操作が可能となる。例えば、スイング運転のサイクルと食材の攪拌される運動は、ある時期には同期したり、次には同期が外れたりしてその挙動が変化することがわかったため、人間の微妙な感覚によってその回転数をすぐに調整できれば、食材が容器のどこかに偏在して破砕がされなくなるというような従来の問題も軽減され、全体がうまく攪拌や破砕が行なわれるようになり、第２のモードのスイング運転の効果を最大限に発揮することができる。
【００２２】
つまり、食材の挙動は、その食材の条件に加えて回転部材の回転速度に大きく影響される。しかも、スイング運転では、食材の挙動を上下の異なる回転速度を利用して不規則な動作を与えることで、その偏在を制御しようするものであり、回転速度の上限や下限の程度によっても、食材の粉砕や攪拌状態へのその時々の作用が異なってくる。本願発明は、ユーザが、スイッチ操作部によって第１のモードと第２のモードとの間で切り替えられるようにしつつ、少なくとも回転速度の上限または下限の一方を食材の状況に合わせてリアルタイムに調整できるようにしたことで、ユーザの微妙な感覚をすぐに反映して出来栄えを向上させることが可能となるために、そのような微妙な調整が可能となる本願発明によりユーザの不満の多くが解消されることになる。
【００２３】
さらに、本願発明の調理器具の上記ユーザアクセス手段には、第１のモードの運転と第２のモードの運転との間で、運転中の一方のモードから他方のモードに継続して回転制御を切り替えられるように構成されている。
これによって、破砕や攪拌処理の作業の継続性を保ちながらモードの異なる運転へと運転が引き継がれることが可能となりユーザの利便性が非常に向上する。
【００２４】
さらに本願発明は、スイッチ操作部による第１のモードから第２のモードへの切り替えと共にユーザがモータの回転速度の設定のアクセスが可能となるように、回転速度操作部がスイッチ操作部の近傍に設けられている調理器具を開示する。
継続運転もスイング運転もその回転速度は非常に高速であり、食材への処理も高速に進行する。従って、ユーザインタフェースは非常に重要であり、切り替えと回転速度の調整が極めて近い範囲に設けたユーザに配慮した設計を行なうことで、ユーザの使用勝手が向上し、上記したような微妙な食材への加工調整も遅れることなく適正な時間に瞬時で行なうことが可能となる。
【００２５】
さらに、本願発明の調理器具は、回転速度操作部が第１のモードと第２のモードで兼用可能なように構成されている。
つまり、第１のモードから第２のモードに切り替えても、同じ回転速度操作部を使用できれば、ユーザの利便性がさらに向上するとともに、デザイン上制約される配置条件でも切り替え機能を設けることができる。さらには、第１のモードから第２のモードでの回転速度の間で相関性や連携性を持たせることがより簡便となり、これによってより容易に継続的な処理を提供できるため、意図的に第１のモードから第２のモードに変遷しても食材に与える加工処理の継続性が確保される。また、過誤により第１のモードで運転しても、第２のモードでの継続的な運用が引き続き図られるために、食材に与えるダメージが少なくなり食材を無駄にすることがない。
【００２６】
さらに、回転速度操作部は少なくとも第２のモードの回転速度のスイング運動の上限値の設定をリアルタイムに可能とすることで、第１のモードでの回転速度操作部の設定値との関連性を維持したままスイング運転に引き継ぐことが可能となり、過度に攪拌や破砕がされることが防止しながら、スイング運転の効果を得ることが可能となる。
【００２７】
さらに、例えば、回転速度操作部は時計回転および反時計回転に調整可能なボタン、パッド、またはダイアルつまみであり、これによって、第１モードから第２モードへの切り替え操作から第２モードでのスイング操作の回転速度の調整へとユーザにとってアクセスが非常に容易となる。
【００２８】
加えて、第２のモードのモータの回転速度の上下の変動は、モータ運転をオンとオフとで行うことで、モータの回転数の上限のみを設定すればよく、モータへの制御設定も簡単になるばかりか、その操作も容易にすることができる。
【００２９】
さらに、第１モードと第２モードとの切り替えをスライドスイッチまたはトグルスイッチから構成することで、第１モードと第２モードとの間の相互間の切り替えの設計も容易となり、デザイン上、配置箇所が制約されるような通常小型の調理器具であっても本願発明のモードの切り替え機能を設けることが可能となる。
【００３０】
さらに本願発明の調理器具は、収容器内に収容された食品材料を回転部材の回転で破砕および攪拌または破砕と攪拌の少なくともいずれかの処理を行なう調理器具であって、収容器内の材料を処理するための回転部材を回動させるためのモータと、調理器具の上部に設けられ、モータの駆動をユーザの一方の手によりオンオフ制御するスイッチ手段と、スイッチ手段から離間して設けられて、モータの回転速度の設定を行う回転速度設定手段と、モータの回転速度が継続的な運転または、一定の周期若しくは変則的な周期で上下に変動するスイング運転を可能とするモード切り替え手段とからなるユーザアクセス手段とを備え、ユーザアクセス手段がユーザのもう一方の手によりほぼ同時にアクセス可能としたことを特徴とする。
このように、ユーザの一方の手によりモータの駆動をオンオフ制御させながら、もう一方の手によってモードの切り替えとモータの回転速度の調整を行なうことができるようにしたことで、調理器具の機体そのものをスイッチボタンを手で押しながらしっかりと支えることができ、そのしっかりと支えられた状態で、他方の手でモードの切り替えと速度調整を無駄な手の動作を強いることなく確実に操作できるために、極めてユーザの使用勝手が向上する。
【図面の簡単な説明】
【００３１】
【図１】本願発明の一実施形態によりフードプロセッサ１００の全体斜視図である。
【図２】図１のフードプロセッサ１００の分離図である。
【図３】図１のフードプロセッサの蓋体２０を取り外した状態のフードプロセッサ１００の全体斜視図である。
【図４】図４（ａ）は、図１のフードプロセッサ１００の平面図、図４（ｂ）は、図４（ａ）のＡ−Ａ線で切断したフードプロセッサ１００の側部断面図である。
【図５】図１に示した収容器１０の側部断面図である。
【図６Ａ】蓋体２０の裏面斜めからみた全体斜視図である。
【図６Ｂ】蓋体２０の中心対称軸を中心に切断した部分的斜視図である。
【図７】図１に示した回転部材３０の全体斜視図である。
【図８Ａ】第２の例の回転部材３０’の表面（上方）からの全体斜視図である。
【図８Ｂ】第２の例の回転部材３０’の裏面（下方）からの全体斜視図である。
【図９Ａ】加工の種類、材料の種類、量、そして加工の工程の試験結果の一例である
【図９Ｂ】加工の種類、材料の種類、量、そして加工の工程の試験結果の一例である
【図９Ｃ】加工の種類、材料の種類、量、そして加工の工程の試験結果の一例である
【図１０】図１のフードプロセッサ１００に設けられたモード切替スイッチ９および回転スピード調整ダイアル６の一例である。
【図１１】第１モード（継続運転モード）、第２モード（スイング運転モード）、相互間の切り替え、そして回転スピード調整を可能とする制御装置５のブロック概念図である。
【図１２】第１モードから第２モードへの変遷によるスイング運転、そしてスイング運転中の回転速度調整の一例を描いた一般的タイムチャート概念図である。
【図１３】スイング運転モードでの、回転速度、加工の種類、使用カッター、材料の種類、量、そして処理運転時間を示した調理条件の一例である。
【図１４】スイング運転モードでの、回転速度、加工の種類、使用カッター、材料の種類、量、そして処理運転時間を示した調理条件の一例である。
【図１５】図１３および図１４の中の一部の例の加工処理結果を従来と比較したものである。
【発明を実施するための形態】
【００３２】
以下、本願発明の実施の形態について、図面を参照しながら説明する。
【００３３】
図１は、本願発明によるフードプロセッサ１００を例とした一実施形態の全体斜視図を示し、図２は、その分離図、図３は、蓋体２０を外した状態のフードプロセッサ１００の全体斜視図、図４（ａ）は、フードプロセッサ１００の平面図、図４（ｂ）は、フードプロセッサ１００の側部断面図である。
【００３４】
図１乃至３を参照すると、フードプロセッサ１００は、本体１、食材を収容可能な収容器１０、収容器１０を上から蓋をする蓋体２０からなっており、回転部材３０はその使用目的によって異なる形態の回転部材に交換して使用可能となっている。
【００３５】
図４（ｂ）を参照すると、フードプロセッサ１００の本体１には、収容器１０が着脱可能に載置されている。本体１は、モータ３を内蔵し、そのモータ回転軸４の一端部が、収容器１０の底部中央に設けられた支持体１３と嵌合し、モータ回転軸４の回転を支持体１３に伝達する。本体１には収容器１０を載置して保持するよう円形に周囲が突出した台座部８が形成されている。
【００３６】
支持体１３は、収容器１０の底部を貫ぬき、その底部との密閉を維持しながら収容器１０内で回動可能に軸支されている。支持体１３の突出部分は、回転部材３０に形成された凹部に嵌合して回転部材３０と支持体１３とが一体的に回動可能に支持し、モータ３の回転に合わせて回転部材３０を回転させる。
【００３７】
図４（ｂ）に示すように、フードプロセッサ１００の本体１の内部には、モータ３の回転を駆動制御する制御回路５が設けられている。収容器１０内の食材の量や、粉砕の程度によって、回転部材３０に加わる負荷が変化する。本例では、食材の許容使用量の範囲に対応できる駆動能力を有したモータを選定しているが、負荷の変化によってもあらかじめ設定した所望の回転速度を維持できるように、制御回路５は、モータ３の回転速度を継続的に検知して、モータ３の回転を自動的に増減制御させるようにしてもよい。
【００３８】
図１及び図２に示されているように、本体１の側面にはモータの回転数を調整するためのスピード調整用のつまみを有する回転速度操作部（スピード・ダイアル）６が設けられている。制御装置５は、スピード・ダイアル６の位置に応じて、モータの回転数を変化させ、収容器１０内部に設置された回転部材３０の回転速度を変化させることができる。この例では、無負荷状態で、ダイアルのつまみ６ａを左一杯に回すと、回転速度が最低速の約８００回転／分、そして右一杯に回すと、約３０００回転／分となるように設定されている。
【００３９】
この例では、つまみ６ａを左から時計方向に回すに従い、その回転角度に応じてほぼ比例して回転速度が変化するようにしている。ダイアルつまみ６ａは連続的に回すことが可能であり、これに伴って、モータの回転速度が連続的に変化する。
【００４０】
ダイアルには、最低速度の”ｓｐｅｅｄ  １”から最高速度の”ｓｐｅｅｄ  ４”まで０．５段階に目盛りが振られており、ダイアル６の位置によってその速度がおおよそ確認できるようにしている。ダイアルのつまみ６ａは、ユーザが操作しやすいように、本体１から横方向に突出して、親指と人差し指とでつかめる程度の大きさとなっている。スピード調整はダイアル式に限らず、スライド式であっても良い。
【００４１】
ダイアルつまみ６ａが各段階位置にあるときの無負荷状態でのモータ３の回転速度はおおよそ次のとおりである。
【表１】
2015173802.tif 000003
【００４２】
図１、図２および図１０を参照すると、ダイアル６の下直近近傍には、左右にスライド可能なスイッチ９が設けられている。
図１０の右端（ＳＷ１）のほうに切替スイッチ９の操作部（つまみ、ボタン等）９ａを切り替えると、ダイアル６で指し示す位置で設定された回転速度で継続的にモータを回転させる第１のモード、いわゆる継続運転のモードに設定される。従って、ダイアルつまみ６ａを回すことで、そのダイアルつまみ６ａが指し示す位置に応じた回転速度で継続的にモータが回転する。
【００４３】
一方、図１０の左端（ＳＷ２）のほうに切替スイッチ９のボタン９ａを切り替えると、動作モードが第２のモードに切り替えられる。この第２のモードは、この例では制御回路５がモータを周期的にオン／オフさせるモードである。オフをするとモータの回転速度はゼロ（０ｒｐｍ）に収束する。一方、オンしたときは、モータは停止した状態から回転を開始して、ダイアル６で設定された回転速度で回転する。これを繰り返すことで、モータの回転速度が上下に周期的に振れるスイング運転を行なう。本例では、種々の実験から、オンの時間を０．４秒、オフの時間が０．７秒になるように制御回路５が設計されている。つまり、制御回路５は、後に説明するスイッチボタン２４によってモータへの電源供給が可能となっている間、制御回路５は０．７秒間の回転速度ゼロの状態と、０．４秒間のダイアル６で設定された回転速度の状態が繰り返されるスイング運動をモータがおこなうように制御する。
【００４４】
切替スイッチ９はこの例ではスライドスイッチを使用しているが、第１のモードと第２のモードとの間を交互に切り替えられるものであればどのようなスイッチまたはスイッチ群でも良く、例えば、第１のモードと第２のモードとを交互に設定できるトグルスイッチを使用しても良い。
第１のモードと第２のモードとの切り替えを可能とすることで、食材の量が多かったり硬かったりした場合にも係わらず第２のモードで運転を開始した結果、予想を超えて粉砕や攪拌が進まないこともあるが、この切り替えを設けることで、運転途中で第１のモードの継続運転モードに切り替えることができ、その処理を早く進ませることができる。一方、粘着性のある具材、例えばハンバーグ具材を使用して調理する時には、最初は、その具材が容器側部へ偏移してこびりつきやすいことがこの発明をするための各種実験から明らかとなっている。そのため、まずは第１モードのスイング運転をし、その後具材に流動性が出てきて攪拌や破砕が順調になり偏移が少なくなってきたときには、第２モードの連続運転に切り替えることもでき、効率的できめ細かな処理も可能となる。
【００４５】
オンした状態のモータの回転速度は、ＳＷ１で使用したダイアル６によって設定された回転速度と実質的に変わらないようにしている。従って、ユーザが誤ってＳＷ１に設定したままフードプロセッサ１００の電源をオンしてしまっても、ダイアル６で示した回転速度が適正な速度を示していれば、過度に食材を破砕することを避けることができる。ユーザは、ダイアル６のそばにある切替スイッチ９のボタン９ａを第２のモードであるスイング運転モードのＳＷ２に切り替えさえすれば、継続運転からすぐにスイング運転へと移ることができる。もちろん、ＳＷ１とＳＷ２との間でのモータの回転速度（ＳＷ２のオン時の回転速度を言い、モータのオンオフによって行なうスイングモードの回転速度といったときは、通常オン時に設定されたモータの回転速度をいう）を完全に一致させないまでも、対応させた回転速度となるようにしてＳＷ１とＳＷ２との間の切り替えの際に食材に与える影響を少なくすることは可能である。もちろん、そのような考慮が不要な場合には、ＳＷ１とＳＷ２との間での回転速度の関係性は無視することもできるが、切り替えた際の食材への影響や攪拌、破砕の品質を一定にするには、相互の関係性を持たせた設定とすることが好ましい。
【００４６】
切替スイッチ９とダイアル６とを一般の大人の人の手でカバーできる程度の範囲に直近で配置していること、そして、継続運転とスイング運転との両方のモードでダイアル６を共有化し、かつその回転速度を継続運転とスイング運転との間で関連付けさせることで、シンプルでかつ効率的なユーザインタフェースを提供している。継続運転とスイング運転との間で切り替えを行なった場合でも、すぐにそのモードに見合った回転速度に調整でき、運転期間中は、後述する機体上部のスイッチボタン２４を片方の手で保持する必要がある関係上、一つの手でモードの切り替えと速度調整を無駄な手の動作を強いることなく行なえることは非常に重要となる。
【００４７】
食材の量や、大きさ、重さなどの色々な条件によって、破砕の状態は刻々と変化し、時には飛び散るようになったり、回転部材３０の上のほうや容器の側面のデッドゾーンに食材の一部が滞留（偏在）したりすることは使用するユーザは良く経験することである。これは、回転部材３０を一定に回転する継続運転モードでよく見かけることであるが、従来のような回転サイクル運転を使用していても見受けることができる。その理由は、食材に偏在や滞留等が発生した時にちょうど良いタイミングでその状態にあったサイクル運転を行えないために、サイクル運転の効果を十分には発揮できないことによる。
本実施例では、偏在したときに片方の手ですぐにスイング運転モードに移すことができるし、そのままその手をダイアル６にアクセスして、つまみ６ａを微妙に調整したり、大きく回して、回転速度を多種の食材の挙動に適宜合わせても調整することができる。
図１１には制御装置５のブロック概念図を示している。切替スイッチ９は、図１２に示されているように、第１モード（継続運転モード）と第２モード（スイング運転モード）の相互間の切り替えと回転スピード調整を可能とし、第１モード（継続運転モード）と第２モードによるモータの制御を行なう。図１２での回転速度（スピード）の調整は、回転ボリューム６のブロック図内に図示されているように、この例ではＳＷ１の第１モードとＳＷ２の第２モードで共通の可変抵抗を使用しているために、ＳＷ１の第１モードとＳＷ２の第２モードの回転速度は一致する。
【００４８】
収容器１０は一方の口が開放した略円筒状をなし、その内径はおよそ１５ｃｍのステンレス製で、内側には液体を投入する場合の最大目安である敷居線が設けられている。収容器１０の底には基台部１２が固着され、その収容器１０の周辺の一部には、人の指をかけて持てるように、その基台部１２から延出した取っ手１１が設けられている。基台部１２は本体１の台座部８の円形の周囲の面と当接する円形に延びた内壁を有して台座部８と基台部１２とが組み合うようになっており、これによって収容器１０を本体１に載置することができる。尚、図２では便宜上、支持体１３を可視化しているが、収容器１０の本体自体を透明又は半透明の強化ガラスやプラスチックなどの材料から形成し、周囲から内部を視認できるようにすれば、収容器１０内に収容された食材を加工している最中に、食材の挙動を観察することができる。繰り返しの説明にもなるが、食材が偏ってきて破砕が均一に行なわれそうにならなくなったことを見たユーザは、食材の挙動を見守りながら、ダイアルつまみ６ａを回転させながらモータの回転速度を変化させるたり、あるいは、切り替えスイッチ９を第２のモードであるスイング運転に切り替えたり、さらにはその第２のモードでオン動作中のモータの回転速度をダイアル６によって調整したりすることで、食材の挙動を微妙に調整することができるために、食材の偏よりを無くすることも可能となり、品質の良い食材加工を行なうことができる。ダイアル６と切替スイッチ９とを近傍に配置するインタフェースは、この動作を最大限発揮できるようにしている。
【００４９】
収容器１０と蓋体２０は可撓性のパッキン４０を介して結合し、収容器１０と蓋体２０の間から液体状になった物が外に漏れないようにしている。
【００５０】
図１、図２、図６Ａ、図６Ｂを参照すると、蓋体２０は透明状の部材からなり、パッキン４０を嵌め込むために円形状の縁２０ｃが裏面に延設されている。蓋体２０の表面には外から収容器１０内部に調味料や水等の液体や、粉体、または粒状の、あるいはより大きい形状の固形物を投入可能なように、表面上部方向に伸びた円形の壁部２２が設けられている。壁部２２の中央は、その壁部２２の高さより僅かに低い仕切り２３が壁部内側から連続して設けられ、円形の壁部２２の内部を二つに分けている。
【００５１】
壁部２２内部の一方は、主に固形物を収容器１０内に投入できるように、蓋体２０の表と裏との間を連通させる開口部２７が設けられている。この開口部２７は、蓋体２０の壁部２２の内部で、蓋体２０の本体の中央から外側に向けて収容器１０内方向に傾斜して延びる舌状の延設部２５によって形成されている。壁部２２の内側の他方は、主に液体（場合によっては、細かい粉末状の物）を収容器１０内部に注入可能な開口部２６である穴が、壁部２２の中央からずれて設けられている。穴（開口部）２６は比較的小さく、液体が一度に多量に収容器１０内に注入されることを防止している。もちろん、それぞれの開口部は、投入する材料や使用目的に応じて任意に使い分けることが可能であり、例えば、粒状の固形物を小さな穴２６から入れたり、液体を大きな開口部２７から投入してもよい。
【００５２】
壁部２２内側の仕切り２３によって分けられたものは、壁部内で互いに混ざることがなく、調味料や、水等の液体の投入等の下ごしらえを、その破砕工程の途中でおこなうことができるため、よりレシピに沿った食材の加工が可能となる。そして、収容器１０内の周囲にむけて傾斜する舌状の延設部２５や、反対方向に中央から離れて形成された穴２６によって、回転部材３０の軸からずれた位置で収容器内に均等に物を注入し攪拌が可能となる。
【００５３】
しかも、ある高さと大きさを有する壁部２２は、注入物を入れる際にその注入物が周りにあふれたり、こぼれたりすることを防ぐとともに、収容器１０の内容物が回転部材３０の破断等によって開口部２７から跳ね上がっても、その内壁で概ね防ぐ役割を有している。回転部材３０の回転速度や、破断の具合によっては、内容物がより強く飛び出すこともあるが、図示しないフード（カバー）で開口部を全部覆うようにしてもよく、その壁部はフード（カバー）と組み合う受部の役割をも有している。
【００５４】
蓋体２０がフードプロセッサ１００に組み立てられたとき、本体１は、一方の側の底から上方に延びた支柱部（本体側部）２を有しており、支柱部２は、上部端面が略平らな端部２ａを有している。
【００５５】
蓋体２０は、本体中央から一方に拡大して延びた部位である拡大部２０ａを有している。拡大部２０ａには、本体１のモータをオン、オフするスイッチ７（図４（ｂ）参照）に力が伝達されるようにしたボタン２４が摺動可能にはめ込まれている。
【００５６】
支柱部２の端部２ａは、支柱部２から周囲の階段状の縁を有しており、その内部に摺動部材２ｂが２つ対になって一緒に連動するように支柱部２に組み込まれている。その２つの摺動部材２ｂに対応して、ボタン２４は、拡大部２０ａに設けられた２つの対の穴２０ｂを貫通して連動する操作部材２４ａを有している。蓋体２０の拡大部２０ａには、本体１の支柱部２の端部２ａに形成された縁と噛み合って係合する縁が形成され、蓋体２０が正しく装着されて、支柱部２の端部２ａと、蓋体２０の拡大部２０ａとがその縁どうしで正しく合わさったときに、支柱部２の端部２ａの摺動部材２ｂと、ボタン２４の操作部材２４ａとが当接するようにしている。
【００５７】
摺動部材２ｂは、本体１のモータ３を通常状態でオフするように、支柱部２内部に設けられたばねで付勢されおり、この付勢が摺動部材２ｂに当接するボタン２４の操作部材２４ａを蓋体２０の表方向に押し上げた状態となっている。本体１のモータ３をオンするには、ボタン２４を手で押し下げることで、当接した操作部材２４ａがその付勢に逆らって押し下げられて穴２０ｂから外へと突出し、これによって、その操作部材２４ａに当接した摺動部材２ｂが支柱部２内部へと押し込まれて、本体１内部のモータのスイッチをオンし、これによって、制御回路５がモータ３を設定した回転数で回転させる。
【００５８】
摺動部材２ｂは、本体１のモータをオフするように支柱部２内部に設けられたばねで付勢された状態でも、支柱部２の端部２ａの表面から突出していない。従って、支柱部２の端部２ａと蓋体２０の拡大部２０ａとが正しく合わさっていないときは、ボタン２４の操作部材２４ａと摺動部材２ｂとがずれた位置関係となり、たとえボタン２４を押し下げようとしても、ボタン２４の操作部材２４ａが支柱部２の端部２ａの面に当たり、摺動部材２ｂが支柱部２内部に押し下げられることはなく、誤ってモータがオンすることを防止している。
【００５９】
スイッチボタン２４は、フードプロセッサ１００本体の上部から手で押すことができ、一方、ダイアル６のつまみ６ａは、本体１の側部に突き出て、横から手でつまむことができるため、スイッチのオンとオフの操作と、モータの回転数の調整操作とが両手で同時に可能な位置関係となっている。
【００６０】
収容器１０、収容器１０内部に置かれた回転部材３０、パッキン４０で連結された蓋体２０とは、一体の状態で取っ手１１を手で持って本体１から取り外すことが可能である。また、蓋体２０とパッキン４０とが一体の状態で収容器１０から取り外すことも可能である。
【００６１】
食材を加工するには、まず収容器１０に回転部材３０を装着し、加工する食材を収容器１０に、望ましくは２〜３ｃｍの大きさに切って投入して、収容器１０を本体１に載置した後、パッキン４０が装着された蓋体２０を、蓋体２０拡大部２０ａの縁が支柱部２の端部２ａの縁と正しく組み合わされるように、収容器１０と支柱部２に載せ、そのパッキン４０を収容器１０の円筒状の縁にシールして、スイッチボタン２４によってモータ３のスイッチをオンすればよい。
【００６２】
スイッチボタン２４が拡大部２０ａの表面に設けられていることで、ちょうど手の平でスイッチボタン２４を押し込みながら、伸ばした指で拡大部２０ａ部分を蓋体２０の上部から押さえ、あるいは壁部２２の周辺にまで指を伸ばして、蓋体２０の上部から指で押さえることで、収容器１０と蓋体２０との間がパッキン４０でより強くシールできる。
【００６３】
また、スイッチボタン２４を一方の手で押さえながら、もう一方の手で開口部２７や穴２６から砂糖や塩といった調味料等の粉末や固形物、あるいは水や牛乳、醤油、みりん等の液体等を収容器１０内部に投入できるように、これらの開口部とスイッチボタン２４とが配設されているので、下ごしらえの作業の効率が促進される。
【００６４】
パッキン４０は、比較的水分が少ない食材の加工に使用する、いわゆるドライパッキンと、液体物、あるいは比較的水分が多い食材や途中で液体を注入するときに使用するウエットパッキンが用意され、使用目的に応じて使い分けるようになっている。
【００６５】
図７を参照すると、回転部材３０は、回転方向に鋭利な２つの刃からなるナイフカッターが軸部分から周囲に互いに対照的に、しかも軸方向で段違いに延びている。この段違いで互いに異なる方向に延びた刃によって、収容器１０の底に滞留した食材を効果的に粉砕する。尚、刃の数や、刃の上下の間隔や、刃の方向は、使用する収容器１０の容量や種類に応じて適宜選択しうる。
【００６６】
また、別な例として、図８Ａ，８Ｂはおろしカッターからなる回転部材３０’を示した図である。この回転部材３０’は、円盤状の表面に、複数の小さな突起３１ａ’が設けられている。この突起３１ａ’は食材が擦りあわされることで、食材を細かく破断させるものであり、例えば、三角形状のものが鋸歯上に多数隆起している。
【００６７】
収容器１０には、野菜や果実のほか、多様な種類の食物、あるいは氷や砂糖等の固形物を入れて加工することが可能である。
【００６８】
本製品で可能な加工の種類には、きざむ、すり身にする、ミンチにする、すりつぶす、液状にする、液体をブレンドする、パン等の生地を練る、砕く、細かくする、すりおろす、といったことがあげられるが、これに限定されるものではなく、さらには、ホイップクリームを作る、メレンゲを作る、といったことも可能である。
【００６９】
(継続運転による攪拌または粉砕処理)
図９Ａ、Ｂ、Ｃは、多様な種類の材料に対し、それらの材料に使用される一般的な加工が、本願発明による製品によって可能かどうかを試験した結果を表で示している。すりおろし加工以外はナイフカッターの回転部材を使い、すりおろし加工はおろしカッターの回転部材を使用している。但し、すりおろし加工でも、おろし→ナイフと表記された加工は工程（１）をおろしカッター、工程（２）をナイフカッターで調理している。
【００７０】
つまり、この試験では、きざみ加工は、たまねぎ、にんじん、セロリを代表的な材料として使用し、すり身加工は、白身、海老、イカを、ミンチ加工は、鶏肉、牛肉、豚肉、液体化加工（一般的にジュースとしてミキサー加工）は、柑橘系の代表としてオレンジ、みかんを使用し、他の食品として、トマト、すりつぶし加工は、煎りゴマ、茹で人参、キューイ、玉ねぎ、粉砕加工として、氷、冷凍果実、コーヒー豆、アーモンド、チョコレート、そして、すりおろし加工として、大根、しょうが、長芋、そしてりんごを使用した。量は、収容器１０に収納した材料の量を示し、通常はｇ（グラム）を示しているが、液体化加工では、材料が液体化した後の容量（ｃｃ）、あるいは投入した水等の容量を示している。
【００７１】
図９Ａ、Ｂ、Ｃの表の中の工程の欄には、工程（１）、工程（２）の記載があるが、これは工程（１）と工程（２）の２つの工程を経て加工を行ったことを示している。ここで、工程の“スピード”と“（ｓ）”の記載は、ダイアル６の目盛りとその目盛りでの加工時間（経過時間）を秒で示している。また、例えば、すり身の白身の項目で、工程（２）でのスピード“１→４”は、その加工の経過時間中に、収容器１０内の内容物の状態を確認しながら、ダイアルの目盛りを“１”から“４”に次第に変化させて加工したことを示している。工程（２）に記載がない場合には、工程（１）で十分だったか、あるいは、その工程（２）を加えた試験を行わなかったことを示している。時間欄に例えば、３〜５ｘ３〜４回と表記されている調理は、３〜５秒間の調理を３〜４回行うもので、１回毎に収容器の外周に寄った食材をへらで内側へ寄せて調理したことを示すものである。
【００７２】
結果欄には、その結果を、加工が不適の場合を“Ｘ”、加工はされているが、利用は避けたほうが良い場合を“△”、そして、加工の程度が良好の場合を“○”の３段階で示している。この結果から、必ずしもすべてに適正な加工ができるわけではないことも理解される。つまり、従来の一定速度での多機能フードプロセッサでは、十分な加工ができないことを、この試験結果は逆に裏付けていることになる。本願発明は、スピードを任意に変えることで、多様な加工を可能とした新たな思想に基づいたフードプロセッサであることが、この試験結果からも理解される。そして、多種の加工を可能とするには、おおむね、材料の種類、量（重さや容量）、加工の速度（あるいはその速度の変化）、そしてその加工の時間を考慮しなければならないことがこの試験結果からも明らかである。
【００７３】
表の最後の欄の“レシピへ記載”の“●”は、その結果が良好で、レシピ上に加えても十分な程度の加工品質を得られた試験であったことを示している。
【００７４】
以上の試験結果を含めた各種試験により、各加工処理と、材料に対するダイアルポジションと処理時間の目安を算定した。ここで、Ｓはダイアルポジションの値、Ｔはその加工時間（秒）を示している。
【００７５】
きざむ
たまねぎ：５０〜３００ｇ、    Ｓ＝１．５、Ｔ＝５〜１０
にんじん：５０〜３００ｇ、    Ｓ＝２．０、Ｔ＝５〜１５
パセリ：１０ｇ〜３０ｇ、      Ｓ＝２．０、Ｔ＝約１０
すり身
白身魚：１００〜３００ｇ、  （１）Ｓ＝１．０、Ｔ＝１０〜２０
（２）Ｓ＝１．０→４．０、Ｔ＝１０〜２０
えび：１００〜３００ｇ、      Ｓ＝２、Ｔ＝５ｘ３回
いか：１００〜３００ｇ        （１）Ｓ＝２．０、Ｔ＝約５
（２）Ｓ＝２．０→４．０、Ｔ＝約１０
ミンチ（牛肉、豚肉：１００〜３００ｇ、鶏肉：２００〜３００ｇ）
（１）  Ｓ＝２．０、Ｔ＝５〜１０
（２）  Ｓ＝２．０→４．０、Ｔ＝５〜１０
すりつぶす
煎りゴマ：１０〜３００ｇ、Ｓ＝４．０、Ｔ＝約２０
茹で野菜：５０〜３００ｇ：Ｓ＝４．０、Ｔ＝４０〜６０
冷凍果実：１００〜３００ｇ、Ｓ＝４．０、Ｔ＝４０〜６０
キウイ：５０〜３００ｇ、（１）Ｓ＝２．０、Ｔ＝約２０
（２）Ｓ＝１．５→４．０、Ｔ＝約２０
玉ねぎ：５０〜３００ｇ、（１）Ｓ＝１．５、Ｔ＝約２０
（２）Ｓ＝１．５→４．０、Ｔ＝約２０
液状にする（柑橘系、トマト：１０〜３００ｇ）
Ｓ＝４．０、Ｔ＝約５０
液体をブレンド（野菜、果物、冷凍野菜などと水、牛乳、豆乳など）
Ｓ＝４．０、Ｔ＝約３０
砕く
氷：１００〜２００ｇ、Ｓ＝４．０、Ｔ＝約４０
コーヒー豆：５０〜２００ｇ、Ｓ＝４．０、Ｔ＝約５０
アーモンド（皮つき）：５０〜３００ｇ、Ｓ＝４．０、Ｔ＝約１０
チョコレート：５０〜３００ｇ、Ｓ＝４．０、Ｔ＝約２０
チーズ（ハードタイプ）：５０〜３００ｇ、Ｓ＝４．０、Ｔ＝約３０
細かくする
パン：５０〜３００ｇ、Ｓ＝２．０、Ｔ＝１０〜２０
さらに研究を重ねた結果、ホイップクリーム、メレンゲを作ることも可能であることがわかった。その処理方法の目安を以下に示す。
ホイップクリーム
材料：生クリーム２００ｍｌ、砂糖３０ｇ、バニラエッセンス少々
（１）Ｓ＝１．０→Ｓ＝４．０、Ｔ＝約６０、
（２）Ｓ＝２．０のまま砂糖を数回加えながら、Ｔ＝約６０
メレンゲ
材料：卵白２個、砂糖３０ｇ
（１）Ｓ＝１．０→Ｓ＝４．０、Ｔ＝約６０、
（２）Ｓ＝１．０のまま砂糖を数回加えながら、Ｔ＝約９０
【００７６】
以上のように、ホイップクリームやメレンゲでの加工途中に、蓋体２０の開口部２７から砂糖を数回加えて作ることができる。
上記で例示したように、本願発明は、多様な種類の料理の下ごしらえが一つのフードプロセッサで提供されることが理解できる。従って、料理のレシピには、食材の破砕ばかりでなく、調味料等を加えた下ごしらえの手順も含んだ新たなレシピの提供も可能となる。
例えば、和風ナンのレシピの具体例は次のとおりである。尚、ここでＳｐｅｅｄはダイアル６の目盛り、ブレードは図７の刃形状の回転部材３０、グレーターは図８Ａ，８Ｂの円盤状のすりおろし用の回転部材３０’を示している。
【００７７】
和風ナン
材料（４人分）
大和芋  ２００ｇ、卵白４個分、ピザチーズ１００ｇ
レシピ手順
（１）卵白をワーク収容器に入れ、Ｓｐｅｅｄ１からＳｐｅｅｄ４まで徐々に上げながら６０秒ほど回し、さらにＳｐｅｅｄ２に下げて９０秒ほど回して泡だてます。
（２）ブレードを外してグレーターを装着して大和芋をＳｐｅｅｄ４でおろします。
（３）ブレードに戻してチーズを加えＳｐｅｅｄ１で生地ができるまで６０秒ほど混ぜあわせます。
（４）クッキングシートにお好みの分量を広げオーブン（１８０度）で１０分程焼きます。
お好みのソース・ディップをつけてお召し上がりください。
【００７８】
本願発明のフードプロセッサーでは、刀形状の回転部材３０のみを使用してパン生地やピザやフォカッチャ等の生地づくり、餃子の皮づくりも可能となる。パン生地からパン発酵、そして焼きあげに至るレシピの具体例を次に示す。
【００７９】
パンの作り方
材料
強力粉１５０ｇ、パター２０ｇ、牛乳７０ｍｌ、ドライイースト小さじ１／２、砂糖大さじ１と１／２、溶き卵大さじ１と１／２、塩小さじ１／２
レシピ手順
（１）ブレードを収容器に装着した後、上記材料を収容器に入れ、ｓｐｅｅｄ１で約１２０秒ほど回すことでまぜとこねを行って生地を作る。
（２）収容器から出来あがった生地を取り出し、オーブンレンジで一次発酵約４０分、二次発酵約４０分を行う。
（３）オーブンレンジ（２００度）で約１０分程焼きあげる。
以上のように、多様な食材に対しての加工処理を行うことが可能となるばかりか、従来の単なる加工処理ばかりでなく、料理のための食塩、砂糖、しょうゆ、みりん、胡椒、ごま等の調味料を加える下ごしらえも可能となる。また、パン生地などの練り用の羽根部材や泡立て用の回転部材を別個に用いることなく使い勝手を増すことができる。
【００８０】
（スイング運転の処理）
図１３及び図１４は、モータのオンとオフを交互に周期的に繰り返すスイング運転の条件の一例を示している。
図１３は、単体の食材に対して適合可能な条件を示し、図１４は、氷をブレンダーしてジュースなどを造るときのスイング運転の条件に一例を示したものである。
種々の実験の結果、スイング運転をこの条件で適用すれば品質の良い破砕や攪拌を行なうことができる。図１３および図１４のスピードは、オン／オフの繰り返し運転のなかのオンの時のダイアル６で設置したモータの回転速度を示している。ユーザは、このリストを一つの例として、ダイアルのつまみ調整を行うようにすれば良く、誤って継続運転の状態で動作してしまった場合であっても、すぐにＳＷ２のスイング運転に切り替え、破砕の状態を観察しながら加工処理を行なってもよい。
【００８１】
ここで重要なのは、必ずしもダイアル設定の値を固定する必要は無く、通常図１３、図１４で示したダイアルのスピードの範囲内であれば、各種食材の各種加工処理に対して、品質の高い食材加工を提供できることを意味する。ただし、実際の食材の挙動は様々であることから、その範囲を逸脱して、ダイアルつまみ６ａをより大きく動かすことで食材の挙動に対応してもよい。一方、食材の挙動が安定しており、十分に攪拌されて破砕も順調で均一な品質を維持できるのであれば、わざわざ調整を行なう必要は無いことはもちろんである。
【００８２】
図１５は、図１３および図１４の右列で示したＰ１〜Ｐ５に該当する条件で加工処理を行なった本願発明の実施製品の結果例を、実際の写真を使用しながら従来例と比較して表にしたものである。
図１５のコメントに記載したように、図１３の中のＰ１〜Ｐ３のスライス、きざみといった基本的な処理であっても、食材の種類、大きさや重さ、量に応じて、ダイアルつまみ６ａを調整し、動作時間を変えることで、従来と比較してより均一な加工処理が可能となることが理解できる。
また、従来は、氷を細かい一定の粗さの品質に破砕することが難しかったが、図１４および図１５で示したように、食材と同様に品質の良い細かな氷の粒に加工することが可能となった。
【００８３】
図１２は、継続運転から切替スイッチ９をＳＷ１からＳＷ２に切り替えて、第２のモードであるスイング運転に移行し、その後ある時間を経て、切替スイッチ９をＳＷ２からＳＷ１に切り替えて継続運転に移行したタイミングチャートの一般的概念図を示している。
ここで注意すべき点は、これまでは、スイング動作をモータの周期的なオンとオフで行なっているために、オフの時点でモータが停止するスイング運転で説明したが、図１２のタイムチャートの例は、そのオフの期間を、回転速度が０ｒｐｍを含めた低速度Ｖ２の回転速度で動作する期間として総括して説明している。
【００８４】
最初の断続運転の場合の回転速度をＶ１で示し、ポイントＡの時点でスイッチをＳＷ１からＳＷ２に切り替えると、リアルタイムに継続運転から継続してスイング運転に引き継いで移行する。そのときのモータは、回転速度Ｖ２の低速度回転と回転速度Ｖ１の高速度回転をそれぞれ時間間隔Ｔｗ２およびＴｗ１の周期で運動するように、制御回路５がモータの制御を行なう。
低速度Ｖ２の回転期間であるＴｗ２の間にある運転時間ｔ１の時点で、ユーザがダイアルつまみ６ａを右回り方向に回すと、リアルタイムにモータはＶ１よりも高い高回転速度に設定される。そして、低回転速度Ｖ２で回転しているモータは、次のＴｗ１の動作時間に達すると、すでに設定された高い高回転速度で動作し、その設定した高回転速度と低い低回転速度Ｖ２とが、期間Ｔｗ１とＴｗ２とで交互に現れるスイング運転を行なう。モータが高回転速度で回転しているＴｗ１の期間中の時間ｔ２にダイアルつまみ６ａを左周りに調整してセットすると、ダイアルつまみ６ａのセットに応じてモータの高回転速度は低下してそのまま回転し、次のＴｗ２の期間で低回転速度に移行する。
【００８５】
この例では、すぐ次の時間のｔ３で再度ダイアルつまみ６ａを右回りにセットして高回転速度を高く設定しており、Ｔｗ１の動作時間になると、そのセットした高回転速度Ｖ１と低回転速度Ｖ２との間のスイング動作へと変化する。低回転速度の最中のｔ４で再度ダイアルつまみを下げると、その下げた分の速度低下で高回転速度がセットされ、次のＴｗ１の期間になると、そのセットされた高回転速度でモータが回転し、そのときに定まった高回転速度Ｖ３の回転と低回転速度Ｖ１の回転とが交互に現れるスイング動作が行なわれる。図１２では、ポイントＢの時点で、スイング運転のモードから継続運転のモードに切替スイッチ９が切り替えられ、スイング運転から継続して継続運転に移行し高回転速度Ｖ３のままの設定で回転を継続させている。
【００８６】
上記例で示したように、期間Ｔｗ１を略０．４秒、期間Ｔｗ２を略０．７秒に設定しており、略１．１秒の周期でスイング運転のサイクル動作が行なわれ、ダイアルつまみ６ａの調整が実質的にリアルタイムにその期間に対しての回転速度に反映される。
図１２のチャートは概念図であるために、実際には高回転速度と低回転速度との間の遷移時間は回転部材にかかる負荷に応じて変化しうるものであるし、また、例えば、ｔ３の時間でダイアルつまみ６ａを調整した時に瞬時に回転速度が変化したように描いてはいるが、モータの特性によりある遅延をもって時間ともにカーブを形成しながら回転速度が変化することが通常であり、そのような変化をこのタイミングチャートは排除するものではない。ダイアルつまみをゆっくり回せば、その回した時間に応じて回転速度が次第に調整されるのはもちろんである。
また、上記一般概念化したタイムチャートで示したように、スイング運動の際の低回転速度期間Ｔｗ２は、回転速度Ｖ２であるが、このＶ２は、モータの回転速度がゼロ（０ｒｐｍ）の場合も含む概念であり、場合によっては、逆回転となる速度もありうることに注意すべきである。スイング運転は、交互に異なった回転速度の回転（一方の低回転速度がゼロの場合も含む）が一定周期的か変則的かに係わらず交互に現れればよい。また、ダイアルつまみ６ａを設定した時点がＴｗ２かＴｗ１の期間かどうかに係わらず、その設定した速度にすぐに変化してスイング運転を行うようにしても良い。
【００８７】
より機能を持たせるために、低速度、すなわちＴｗ２の期間の回転速度の設定や選択が可能なようにしても良い。例えば、低回転速度設定用のボタンを設けても良く、あるいは、設定や選択のためのキー入力を受け付けるようにしても良い。
第１のモードの継続運転のモードと第２のモードのスイング運転のモード間の双方向に切り替え可能なように構成することが好ましいが、第１のモードの継続運転のモードと第２のモードのスイング運転のモードの少なくとも１方向への切り替えのみを可能とするようにしてもよい。
また、Ｔｗ２やＴｗ１の期間も食材処理に影響を与えるパラメータであることから、食材の投入状況に対してより適合できるように、Ｔｗ２やＴｗ１の期間を設定できる手段を設けるようにしてもよい。
【００８８】
この例では、フードプロセッサを例として説明しているが、ミキサーにも適用することが可能であり、広く調理器具に対して本願発明を用いることができる。
本願の調理器具によって、モードを第１のモードと第２のモードとの間で切り替え可能とし、継続運転からスイング運転に回転制御を切り替えて第１のモードの運転から第２のモードの運転へ、さらにはその逆に継続して移行できれば、第１のモードの効果と第２のモードが持っている効果を最も効率的に利用でき、均一に破砕や攪拌が可能とすることができる。また。ユーザアクセス手段である切替スイッチの形態やダイアルの形態、そして相互の配置により、一段と向上した操作性によって、従来以上の品質の加工食材を提供することが可能となる。
ここで、本願発明の調理器具のように、スイッチボタン２４を片方の手で保持し、他方の手でモードの切り替えと速度調整を無駄な手の動作を強いることなく行なえるようにしたことは非常に重要であることはすでに述べたとおりである。他の変更例として、ユーザアクセス手段を個々のユーザが最も使いやすい場所に置いて操作できるようにし、ユーザアクセス手段をBluetooth（ブルートゥース）（登録商標）や近接無線通信等の無線通信技術を利用して調理器具本体と無線通信しながらリモートで操作できるようして、ユーザの使用勝手を向上させるようにしてもよい。また、ユーザアクセス手段を本体から取り外し可能にし、本体の左右反対側にも設置できるように構成して、右利き、左利きのどちらのユーザにとっても使い易いようにしてもよい。さらに、スマートフォンを追加のユーザアクセス手段として利用し、アプリからタッチバッド操作によって切り替えられるようにすることで、例えば親子が一緒になって調理器具を使用しながら調理を楽しむことができるようにしてもよい。
【００８９】
第１モードと第２モード間の切り替えと回転速度の調整を行なうことができるようにしたことで、ミキサーなどで使用する場合であっても、急な泡立ちなどによる飛散が発生する前にすぐに切り替えられ、モータの回転速度を任意で瞬時に調整することができるために、汚れが抑えられ、その後の処理やメンテナンスが容易となる。
また、スイング運転だけで処理したい場合に、ユーザが誤って継続運転で動作しても、すぐにスイング運転へと変更が可能であり、ユーザの利便性が非常に向上し、食材を無駄にすることも無い。又、硬い食材をスイング中に連続運転へ切り替えたい場合、スイング運転から継続運転へ切り替えることも可能となり調理勝手が向上する。
【００９０】
尚、上記した発明の実施の形態は、発明の一具体例を述べたものであって、この実施形態によって本願発明が限定されるものではない。
【符号の説明】
【００９１】
１００  フードプロセッサ
１  本体
２  支柱部
２ａ  端部
２ｂ  摺動部材
３  モータ
４  モータ回転軸
５  制御回路
６  速度調整ダイアル
６ａ  ダイアルつまみ
７  スイッチ
８  台座部
９  モード切替スイッチ
９ａ  スイッチ操作部
１０  収容器
１１  取っ手
１２  基台部
１３  支持部
２０  蓋体
２０ａ  拡大部
２０ｂ  穴
２１  縁部
２２  壁部
２３  仕切り
２４  ボタン
２４ａ  操作部材
２５  延設部
２６  穴
３０  回転部材（ナイフカッター）
３０’  回転部材（おろしカッター）
３１ａ’  突起
３２  回転軸部
【図１】
2015173802.tif 000004
【図２】
2015173802.tif 000005
【図３】
2015173802.tif 000006
【図４】
2015173802.tif 000007
【図５】
2015173802.tif 000008
【図６Ａ】
2015173802.tif 000009
【図６Ｂ】
2015173802.tif 000010
【図７】
2015173802.tif 000011
【図８Ａ】
2015173802.tif 000012
【図８Ｂ】
2015173802.tif 000013
【図９Ａ】
2015173802.tif 000014
【図９Ｂ】
2015173802.tif 000015
【図９Ｃ】
2015173802.tif 000016
【図１０】
2015173802.tif 000017
【図１１】
2015173802.tif 000018
【図１２】
2015173802.tif 000019
【図１３】
2015173802.tif 000020
【図１４】
2015173802.tif 000021
【図１５】
2015173802.tif 000022